(57)【要約】【課題】  多数の遊技媒体を払出す場合でも、遊技媒体が取出口や容器から溢れて機器外部に飛出すことを未然に防ぐことができるようにする。【解決手段】  メダル貸出要求によりメダル（Ｙ）の貸し出し処理を行うメダル貸出機１において、予め所定量を設定し、メダル貸出要求に対応して貸出すメダル（Ｙ）の総量が上記設定された所定量以上である場合、総量分のメダル（Ｙ）を複数回に分けて排出する処理を行う。特に、総量分のメダル（Ｙ）を複数回に分けて排出する場合、各回毎の排出を許可する条件が検出されると該各回毎に上記所定量を越えない量内でメダル（Ｙ）を排出する。【選択図】  図１
2005080899.tif 000002
【特許請求の範囲】
【請求項１】
貸出要求により遊技媒体の貸し出し処理を行う遊技媒体貸出機において、
予め所定量を設定する設定手段と、
前記貸出要求に対応して貸出す遊技媒体の総量が前記設定手段で設定された所定量以上である場合、前記総量分の遊技媒体を複数回の排出動作に分けて排出処理する排出処理手段と
を具備することを特徴とする遊技媒体貸出機。
【請求項２】
前記排出処理手段は、
前記総量分の遊技媒体を複数回の排出動作に分けて排出する場合、各回毎の排出を許可する条件が検出されると該各回毎に前記所定量を越えない量内で遊技媒体を排出することを特徴とする請求項１記載の遊技媒体貸出機。
【請求項３】
前記貸出要求に対応して貸出す遊技媒体の総量に応じて、前記所定量を越えない各回毎に排出する前記遊技媒体の排出量を算出する算出手段を更に有し、
前記排出処理手段は、
前記算出手段の算出値に従って各回毎に遊技媒体を排出する
ことを特徴とする請求項１又は２記載の遊技媒体貸出機。
【請求項４】
遊技媒体の排出動作中に操作されると、排出動作を一旦停止するように指示する排出停止指示手段を更に有し、
前記排出処理手段は、
前記排出停止指示手段による指示に基づいて排出動作を一旦停止することにより、前記総量分の遊技媒体を複数回の排出動作に分けて排出処理する
ことを特徴とする請求項１記載の遊技媒体貸出機。
【請求項５】
前記排出処理手段が、複数回に分けて実行される個々の排出動作が行われた後に所定時間経過したことを検出する検出手段を更に有し、
前記排出処理手段は、
前記検出手段の検出出力に基づき次の排出動作を行う
ことを特徴とする請求項１乃至４のいずれか記載の遊技媒体貸出機。
【請求項６】
前記排出処理手段が、複数回に分けて実行される個々の排出動作が行われた後に所定の操作が行われたことを検出する検出手段を更に有し、
前記排出処理手段は、
前記検出手段の検出出力に基づき次の排出動作を行う
ことを特徴とする請求項１乃至４のいずれか記載の遊技媒体貸出機。
【請求項７】
前記排出処理手段が、複数回に分けて実行される個々の排出動作が行われた後に遊技媒体取出口に排出された遊技媒体が取り除かれたことを検出する検出手段を更に有し、
前記排出処理手段は、
前記検出手段の検出出力に基づき次の排出動作を行う
ことを特徴とする請求項１乃至４のいずれか記載の遊技媒体貸出機。
【請求項８】
前記遊技媒体を排出するのに先立って該遊技媒体を収容する容器を遊技媒体取出口に投出し、該投出した容器に向けて前記遊技媒体を排出して貸出す機能を具え、
前記排出処理手段が、複数回に分けて実行される個々の排出動作が行われた後に前記容器が取り除かれたことを検出する検出手段を更に有し、
前記排出処理手段は、
前記検出手段の検出出力に基づき次の排出動作を行う
ことを特徴とする請求項１乃至４のいずれか記載の遊技媒体貸出機。
【請求項９】
前記排出処理手段が前記所定量を越えない一定量の遊技媒体を排出した後に、残りの遊技媒体の排出量が前記所定量以上であるか否かを判定する判定手段を更に有し、
前記排出処理手段は、
前記判定手段により当該残りの遊技媒体の排出量が前記所定量以上でないと判定された場合、当該残り排出量分の遊技媒体を全て一度に排出する第１の排出処理を行い、
他方、前記判定手段により当該残りの遊技媒体の排出量が前記所定量以上であると判定された場合、再度前記一定量の遊技媒体を排出する第２の排出処理を行い、
それ以降、前記判定手段の判定及び該判定に伴う前記排出処理手段の前記第１の排出処理或いは前記第２の排出処理のいずれかを実行することを特徴とする請求項４乃至８のいずれか記載の遊技媒体貸出機。
【請求項１０】
複数回の排出動作に分けて前記遊技媒体を排出する際に残りの遊技媒体が排出される条件を通知する通知手段を
更に具備することを特徴とする請求項１記載の遊技媒体貸出機。
【請求項１１】
貸出要求により遊技媒体の貸し出し処理を行う遊技媒体貸出機の遊技媒体貸出処理方法において、
予め所定量を設定し、前記貸出要求に対応して貸出す遊技媒体の総量が前記設定された所定量以上である場合、前記総量分の遊技媒体を複数回の排出動作に分けて排出する処理を行うことを特徴とする遊技媒体貸出処理方法。
【請求項１２】
前記総量分の遊技媒体を複数回の排出動作に分けて排出する場合、各回毎の排出を許可する条件が検出されると該各回毎に前記所定量を越えない量内で遊技媒体を排出することを特徴とする請求項１２記載の遊技媒体貸出処理方法。
【発明の詳細な説明】
【技術分野】
【０００１】
本発明は、アミューズメント施設のゲームコーナーやゲームセンター等に設置され、遊技機（例えば、メダルゲーム機等）で遊技するのに用いる遊技媒体（例えば、メダルやコイン等）を払出す遊技媒体貸出機に関し、特に、多数の遊技媒体を払出す場合でも、遊技媒体が取出口や容器から溢れて機器外部に飛出すことを未然に防ぐことができると共に、取出口や容器へ払出し用の遊技媒体を導く通路内部で遊技媒体が詰ってしまうことを未然に防ぐことができるようにした遊技媒体貸出機および遊技媒体貸出処理方法に関するものである。
【背景技術】
【０００２】
従来、アミューズメント施設のゲームコーナーやゲームセンター等に設置され、遊技機（例えば、メダルを投入することでブラックジャック等の遊技を行えるメダルゲーム機等）で遊技するのに用いる遊技媒体（例えば、メダルやコイン等）を払出す遊技媒体貸出機が知られている。
【０００３】
そして、そのような遊技媒体貸出機として、従来例えば、通常タイプのメダル貸出機（以下、「従来技術１」という。）と、カップ式メダル貸出機（以下、「従来技術２」という。）（特許文献１参照）が提供されている。
【０００４】
ここで、従来技術１のメダル貸出機では、メダル購入（実際は「メダル貸出」）希望者により所定の貨幣投入口から貨幣が投入され、その後、購入可能な選択ボタンが押下されると、そのボタンに予め登録されている枚数分のメダルを所定のメダル取出口に払出す。
【０００５】
また、従来技術２のメダル貸出機では、メダル購入希望者により所定の貨幣投入口から貨幣が投入され、その後、購入可能な選択ボタンが押下されると、メダルを受けるカップを自動的に所定のメダル取出口に排出（落下）させ、そのカップの中に上記押下されたボタンに予め登録されている枚数分のメダルを払出す。
【０００６】
そして、それら従来技術１のメダル貸出機および従来技術２のメダル貸出機のいずれとも、一般的に、機器サイズの縮小化や、機器設置面積の縮小化や、製造コストの削減化を考慮したり、或いはメダル購入希望者が１回で購入希望する平均的な枚数を考慮したり、或いはカップを利用するメダル購入希望者の使い勝手を考慮して、メダル取出口やカップは限られた所定の大きさ（例えば、メダル３００枚程度を許容することができる大きさ）で設けられる。また、選択ボタンの払出しメダル枚数の設定は、それらメダル取出口やカップの大きさ、即ち、それらメダル取出口やカップが払出したメダルを許容できる許容量以下に設定される。
【０００７】
ところで、従来では、何度も貸出し操作を行うのが面倒な為、メダル購入希望者の中には、１回で大量枚数（許容量以上）の貸出しを希望する者もいる。
【０００８】
その為、そのようなメダル購入希望者の要求に応えるべく、選択ボタンに、許容量以上の枚数を設定し、許容量を超えた枚数のメダルを払出すようにすると、メダル取出口やカップからメダルが溢れ、メダル貸出機から外部（機器設置床等）へ溢れたメダルが飛出す（落下する）虞がある。また、メダル取出口やカップへメダルを導くメダル通路の出口を払出されたメダルが塞いでしまい、メダル通路内部でメダルが詰ってしまう虞がある。
【特許文献１】特開平４−２３８３号公報
【発明の開示】
【発明が解決しようとする課題】
【０００９】
上述の如く、従来、様々な事情を考慮して、メダル取出口やカップが限られた所定の大きさで設けられているような遊技媒体貸出機において、１回で大量枚数のメダルの貸出しを希望するメダル購入希望者の要求に応えるべく、選択ボタンに、許容量以上の枚数を設定し、許容量を超えた枚数のメダルを払出すようにすると、メダル取出口やカップからメダルが溢れ、遊技媒体貸出機から外部へ溢れたメダルが飛出す虞があり、また、メダル取出口やカップへメダルを導くメダル通路の出口を払出されたメダルが塞いでしまい、メダル通路内部でメダルが詰ってしまう虞があった。
【００１０】
そこで、本発明は上記実状に鑑み、大量の遊技媒体を払出す場合でも、遊技媒体が取出口や容器から溢れて機器外部に飛出すことを未然に防ぐことが可能であると共に、取出口や容器へ払出し用の遊技媒体を導く通路内部で遊技媒体が詰ってしまうことを未然に防ぐことが可能な遊技媒体貸出機および遊技媒体貸出処理方法の提供を目的とするものである。
【課題を解決するための手段】
【００１１】
上記目的を達成するため、請求項１の発明は、貸出要求により遊技媒体の貸し出し処理を行う遊技媒体貸出機において、予め所定量を設定する設定手段と、前記貸出要求に対応して貸出す遊技媒体の総量が前記設定手段で設定された所定量以上である場合、前記総量分の遊技媒体を複数回の排出動作に分けて排出処理する排出処理手段とを具備することを特徴とする。
【００１２】
また、請求項２の発明は、請求項１の発明において、前記排出処理手段は、前記総量分の遊技媒体を複数回の排出動作に分けて排出する場合、各回毎の排出を許可する条件が検出されると該各回毎に前記所定量を越えない量内で遊技媒体を排出することを特徴とする。
【００１３】
また、請求項３の発明は、請求項１又は２の発明において、前記貸出要求に対応して貸出す遊技媒体の総量に応じて、前記所定量を越えない各回毎に排出する前記遊技媒体の排出量を算出する算出手段を更に有し、前記排出処理手段は、前記算出手段の算出値に従って各回毎に遊技媒体を排出することを特徴とする。
【００１４】
また、請求項４の発明は、請求項１の発明において、遊技媒体の排出動作中に操作されると、排出動作を一旦停止するように指示する排出停止指示手段を更に有し、前記排出処理手段は、前記排出停止指示手段による指示に基づいて排出動作を一旦停止することにより、前記総量分の遊技媒体を複数回の排出動作に分けて排出処理することを特徴とする。
【００１５】
また、請求項５の発明は、請求項１乃至４のいずれかの発明において、前記排出処理手段が、複数回に分けて実行される個々の排出動作が行われた後に所定時間経過したことを検出する検出手段を更に有し、前記排出処理手段は、前記検出手段の検出出力に基づき次の排出動作を行うことを特徴とする。
【００１６】
また、請求項６の発明は、請求項１乃至４のいずれかの発明において、前記排出処理手段が、複数回に分けて実行される個々の排出動作が行われた後に所定の操作が行われたことを検出する検出手段を更に有し、前記排出処理手段は、前記検出手段の検出出力に基づき次の排出動作を行うことを特徴とする。
【００１７】
また、請求項７の発明は、請求項１乃至４のいずれかの発明において、前記排出処理手段が、複数回に分けて実行される個々の排出動作が行われた後に遊技媒体取出口に排出された遊技媒体が取り除かれたことを検出する検出手段を更に有し、前記排出処理手段は、前記検出手段の検出出力に基づき次の排出動作を行うことを特徴とする。
【００１８】
また、請求項８の発明は、請求項１乃至４のいずれかの発明において、前記遊技媒体を排出するのに先立って該遊技媒体を収容する容器を遊技媒体取出口に投出し、該投出した容器に向けて前記遊技媒体を排出して貸出す機能を具え、前記排出処理手段が、複数回に分けて実行される個々の排出動作が行われた後に前記容器が取り除かれたことを検出する検出手段を更に有し、前記排出処理手段は、前記検出手段の検出出力に基づき次の排出動作を行うことを特徴とする。
【００１９】
また、請求項９の発明は、請求項４乃至８のいずれかの発明において、前記排出処理手段が前記所定量を越えない一定量の遊技媒体を排出した後に、残りの遊技媒体の排出量が前記所定量以上であるか否かを判定する判定手段を更に有し、前記排出処理手段は、前記判定手段により当該残りの遊技媒体の排出量が前記所定量以上でないと判定された場合、当該残り排出量分の遊技媒体を全て一度に排出する第１の排出処理を行い、他方、前記判定手段により当該残りの遊技媒体の排出量が前記所定量以上であると判定された場合、再度前記一定量の遊技媒体を排出する第２の排出処理を行い、それ以降、前記判定手段の判定及び該判定に伴う前記排出処理手段の前記第１の排出処理或いは前記第２の排出処理のいずれかを実行することを特徴とする。
【００２０】
また、請求項１０の発明は、請求項１の発明において、複数回の排出動作に分けて前記遊技媒体を排出する際に残りの遊技媒体が排出される条件を通知する通知手段を更に具備することを特徴とする。
【００２１】
また、請求項１１の発明は、貸出要求により遊技媒体の貸し出し処理を行う遊技媒体貸出機の遊技媒体貸出処理方法において、予め所定量を設定し、前記貸出要求に対応して貸出す遊技媒体の総量が前記設定された所定量以上である場合、前記総量分の遊技媒体を複数回の排出動作に分けて排出する処理を行うことを特徴とする。
【００２２】
また、請求項１２の発明は、請求項１２の発明において、前記総量分の遊技媒体を複数回の排出動作に分けて排出する場合、各回毎の排出を許可する条件が検出されると該各回毎に前記所定量を越えない量内で遊技媒体を排出することを特徴とする。
【発明の効果】
【００２３】
本発明によれば、多数の遊技媒体を払出す場合でも、遊技媒体が取出口や容器から溢れて機器外部に飛出すことを未然に防ぐことができると共に、取出口や容器へ払出し用の遊技媒体を導く通路内部で遊技媒体が詰ってしまうことを未然に防ぐことができる。
【００２４】
具体的には、機器サイズの縮小化や、機器設置面積の縮小化や、製造コストの削減化や、遊技媒体購入希望者が１回で購入希望する平均的な枚数や、カップを利用するメダル購入希望者の使い勝手などを考慮して、遊技媒体取出口や遊技媒体収容容器の大きさを変えずとも、それら遊技媒体取出口や遊技媒体収容容器の遊技媒体許容量以上の貸出を行う際に、遊技媒体が取出口や容器から溢れて機器外部に飛出すことを未然に防ぐことができると共に、取出口や容器へ払出し用の遊技媒体を導く通路内部で遊技媒体が詰ってしまうことを未然に防ぐことができる。
【発明を実施するための最良の形態】
【００２５】
以下、本発明に係わる実施例を添付図面を参照して詳細に説明する。
【００２６】
図１は、本発明を適用したメダル貸出機１００の外観概略構成を示す図であり、図２は、図１に示したメダル貸出機１００の前面扉を開放した場合に見える内部の概略構成を示す図であり、図３は、図１及び図２に示したメダル貸出機１００の機能をブロック化した場合の構成を示す図である。
【００２７】
尚、このメダル貸出機１００は、アミューズメント施設のゲームコーナーやゲームセンター等に設置され、遊技機（例えば、メダルを投入することでブラックジャック等の遊技を行えるメダルゲーム機等）で遊技するのに用いる遊技媒体（例えば、メダルやコイン等）を払出す遊技媒体貸出機である。また、図１及び図３の例では、メダルＹを貸し出すに先だって、カップ（容器ともいう。）Ｘをメダル取出口に投出し、その投出したカップＸ内に向けてメダルＹを排出するカップ式メダル貸出機の場合を例にしている。
【００２８】
図１に示すように、このメダル貸出機１００は、メダル購入希望者（以下、単に「客」という。）側の扉前面に、選択ボタン１１と、ガイダンス部１２と、硬貨入金口１３と、紙幣入出口１４と、メダル取出口１５と、投出ボタン１６とが客とのインタフェースとして見えるように配置され具えられている。
【００２９】
また、図２に示すように、このメダル貸出機１００は、客側の扉１−１を開放すると、客側の扉１−１側に、カップ投出部１７と、カップ検知センサ１８とが配置され、本体部１−２側に、メダル投出部１９と、硬貨処理部２０と、紙幣処理部２１と、制御部２２とが配置されている。
【００３０】
そして、図３に示すように、図１及び図２に示したメダル貸出機１００を機能ブロック化してみると、選択ボタン１１と、ガイダンス部１２と、投出ボタン１６と、カップ投出部１７と、カップ検知センサ１８と、メダル投出部１９と、硬貨処理部２０と、紙幣処理部２１と、制御部２２と、タイマー手段２３と、電源部２４とを具える。
【００３１】
ここで、選択ボタン１１は、図４に示すようなボタンを具え、客が購入するメダルの枚数を選択するボタンである。尚、この選択ボタン１１は、発光ダイオード等を具える。そして、客が貨幣を投入した際、制御部２２の制御のもと投入金額内で選択可能なボタン部の発光ダイオードを発光させ点灯或いは点滅表示を行う。
【００３２】
尚、図４に示すように、この実施例では、「ボタンＮｏ．１」のボタンが、投入金額「５００円」でメダルを「５０枚」払出す為の選択ボタンである。また、「ボタンＮｏ．２」のボタンが、投入金額「１０００円」でメダルを「１０５枚」払出す為の選択ボタンである。また、「ボタンＮｏ．３」のボタンが、投入金額「２０００円」でメダルを「２２０枚」払出す為の選択ボタンである。また、「ボタンＮｏ．４」のボタンが、投入金額「３０００円」でメダルを「３５０枚」払出す為の選択ボタンである。また、「ボタンＮｏ．５」のボタンが、投入金額「５０００円」でメダルを「６００枚」払出す為の選択ボタンである。尚、この実施例では、基本はメダル１枚を１０円で貸し出しが、１０００円以上はプレミア（おまけ）が付いている場合を例にしている。また、この例では、メダル取出口１５、即ち、カップのメダル収容許容量を「３００枚」とした場合に、その許容量を超えるメダルの払出しを指示するＮｏ．４のボタン（「３５０枚」）とＮｏ．５のボタン（「６００枚」）とを具えている場合を例に示している。即ち、メダル貸出機１の制御部２２が図４に示すような設定テーブル情報を保有すると共に、メダル収容許容量情報を保有し、その設定テーブルの設定情報及びそのメダル収容許容量情報に基づきメダル貸出処理を制御する。
【００３３】
ガイダンス部１２は、このメダル貸出機１の各操作情報等を客に通知する内容を表示する表示部であり、例えば、液晶画面等で構成される。特に、本実施例では、大量のメダルを分割して排出する場合の機器動作情報や客に対し指示を促す情報等を表示するのに用いられる。
【００３４】
硬貨投入口１３は、硬貨の投入口であり、内部の硬貨処理部２０と連結されて配置される。
【００３５】
紙幣入出口１４は、紙幣の入出口であり、内部の紙幣処理部２１と連結されて配置される。
【００３６】
メダル取出口１５は、払出したメダル、即ち、この実施例では、払出したメダルを収容したカップを客が取り出す為の口である。
【００３７】
投出ボタン１６は、所定枚数（カップのメダル許容量）以上のメダルを貸し出す際に、分割してメダルを排出する際の分割毎の残りメダルの排出を客が指示する為のボタンである。
【００３８】
カップ投出部１７は、予め投出するカップを複数個収納しており、メダル払出し時にカップをメダル取出口１５へ投出する。また、このカップ投出部１７は、図３に示すように、カップ収納部やカップ投出機構部やカップセンサ等を具える。ここで、カップ収納部は、店員等により補給されたカップを予め機器内部に収納する部分である。また、カップ投出機構部は、駆動モータ等を有し、カップ収納部に収納されているカップを制御部２２の制御のもとメダル取出口１５に投出する。また、カップセンサは、カップ収納部に収納しているカップが無くなったことを検知する。そして、このカップセンサによりカップが無くなったことが検知された場合には、制御部２２の制御のもと店員等にカップが無いことを通知する為に、例えばガイダンス部１２に「カップがありません。補充して下さい。」等の内容を表示したり、所定のランプを点灯する。
【００３９】
カップ検知センサ１８は、メダル取出口１５にカップがあるか無いかを検知するセンサである。例えば、発光部と受光部との間で光が透過した透光状態が検知されればカップがないと判断し、他方、発光部と受光部との間で光が遮光した遮光状態が検知されればカップが有ると判断する。
【００４０】
メダル投出部１９は、予め払出すメダルを複数個収納しており、客により指定された枚数分のメダルをメダル取出口１５に投出されたカップに向けて排出する処理を行う。また、このメダル投出部１９は、図３に示すように、メダル収納部やメダル投出機構部や計数センサやエンプティセンサを具える。ここで、メダル収納部は、店員等により補給されたメダルを予め機器内部に収納する部分である。また、メダル投出機構部は、駆動モータ等を有し、メダル収納部に収納されているメダルを制御部２２の制御のもとメダル取出口１５に排出する。また、計数センサは、メダル投出機構部により排出されるメダルを計数し、指定された枚数分のメダルを排出する際にカウント用として用いられる。そして、このエンプティセンサによりメダルが無くなったことが検知された場合には、制御部２２の制御のもと店員等にメダルが無いことを通知する為に、例えばガイダンス部１２に「メダルがありません。補充して下さい。」等の内容を表示したり、所定のランプを点灯する。
【００４１】
硬貨処理部（コインメック部ともいう。）２０は、入金された硬貨を識別及び収納すると共に、返却硬貨や釣り銭となる硬貨を払出す処理を行う。
【００４２】
紙幣処理部（Ｂ／Ｖ部ともいう。）２１は、入金された紙幣を識別及び収納すると共に、返却紙幣や釣り銭となる紙幣を払出す処理を行う。
【００４３】
制御部２２は、このメダル貸出機１全体を統括的に制御し、図３に示すように自己に接続される他の構成要素の処理動作を制御する。
【００４４】
タイマー部２３は、所定時間を計数する計数部である。
【００４５】
電源部２４は、このメダル貸出機１における処理動作を行う上で必要な電力を各構成要素部に供給する電源供給部である。例えば、電源プラグ等を介して外部から商用電源等を内部に供給する。
【００４６】
次に、上記構成において、カップがメダルを許容できるカップ許容量以上のメダルの貸出数が指定された場合のメダルの排出処理動作手順について説明する。
【００４７】
［１］最初に、カップ許容量以上のメダルの貸出が指定された場合に、指定された貸出数分のメダルを複数回に分けて排出する際、各回毎に一定の枚数で排出処理する場合について図５乃至図７を用いて説明する。尚、以下の説明では、［１］の処理動作について、分割排出処理する場合の２回目以降の分割排出をメダル貸出機が行う条件として、［条件１（前回の排出から一定時間経過したこと）］、［条件２（客により所定の排出指示操作が行われたこと）］、［条件３（容器が取り除かれたのを検知したこと）］毎の処理動作について説明する。また、図５乃至図８では、カップ許容量が「メダル：３００枚」であり、また、一定枚数が「メダル：３００枚」に設定されている場合を例にしているが、両者ともそれ以外の数量であっても良いものとする。ただし、一定枚数においては、カップ許容量を越えない値に設定する。
【００４８】
まず、［条件１（前回の排出から一定時間経過したこと）］の処理動作について図５を用いて説明する。
【００４９】
図５は、カップ許容量以上のメダルの貸出が指定された場合に、指定された貸出数分のメダルを複数回に分けて排出する際、各回毎に一定の枚数で排出処理する場合であって、特に、この場合、カップ許容量以上の貸出数のメダルを複数回に分けて排出処理する際、前回排出してから一定時間経過したことを条件として自動的に次回のメダル排出処理を行う場合のメダル排出処理手順を示すフローチャートである。
【００５０】
図５において、まず、客により硬貨投入口１３或いは紙幣入出口１４から貨幣の入金が行われると（ステップＳ１０１）、メダル貸出機１ではこの処理を開始する。尚、この時、メダル貸出機１では、投入された金額に応じて選択ボタン１１のうち投入金額以下のボタンを点灯させ、選択可能状態にする。
【００５１】
その後、客により選択ボタン１１のいずれかのボタンの押下が行われると(ステップＳ１０２）、メダル貸出機１では、押下されたボタンが所定枚数即ちカップ許容量（「メダル：３００枚」）以下のメダルＹの払出しを指示するボタンであるか否かを判定する（ステップＳ１０３）。また、このステップＳ１０３の処理においては、後述のステップＳ１０８からの戻り時即ち複数回の分割排出処理時には、残りの払出し枚数が上記カップ許容量（「メダル：３００枚」）以下であるか否かを判定する。
【００５２】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ１０３ＹＥＳ）。そして、ステップＳ１０４に移行して、まず、カップ投出部１７からカップＸを投出し、その後、押下されたボタンで指定される枚数分のメダルＹを投出したカップＸに向けて一度に排出する。尚、このステップＳ１０４の処理においては、後述のステップＳ１０８からの戻り時即ち複数回の分割排出処理時であって、ステップＳ１０３の処理において、残りの払出し枚数が上記カップ許容量以下であると判定された場合には、カップ投出部１７からカップＸを投出し、その後、残りの払出し枚数分のメダルＹを投出したカップＸに向けて一度に排出する。
【００５３】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ１０３ＮＯ）。その後、カップ投出部１７からカップＸを投出し、その後、予め設定されている一定枚数（「メダル：３００枚」）分のメダルＹを投出したカップＸに向けて排出する（ステップＳ１０５）。尚、この時、メダル貸出機１では、客により指定された総枚数から排出した一定枚数を引いた残枚数情報を記憶しておく。即ち、［指定枚数（Ｍ）枚］−［排出一定枚数「３００枚」］＝［残枚数「Ｎ枚」］の計算を行って残枚数情報を記憶する。
【００５４】
そして、その排出が完了した後、タイマー部２３を用いて予め設定されている一定時間を計数処理すると共に（ステップＳ１０６）、ガイダンス部１２にその後の機器動作を示す情報や客に対する指示情報等のガイダンス情報を表示する（ステップＳ１０７）。尚、ガイダンス情報としては、例えば、この場合、「残りのメダルを一定時間経過後に自動的に排出しますので、メダル取出口に排出されているメダルをカップ毎取り除き、そのままお待ち下さい。」等のメッセージを表示する。
【００５５】
ここで、上記計数処理により一定時間が経過すると（ステップＳ１０８ＹＥＳ）、上記ステップＳ１０３に戻って上述したような処理を行うことで、払出さなければならない残り枚数分のメダルの排出処理を行う。
【００５６】
尚、上記図５の処理手順において、具体的な例について述べておく。
【００５７】
例えば、客がカップ許容量以下のボタンとして、「ボタンＮＯ．１」のボタン（５００円で５０枚払出しするボタン）を押下したとすると、上記ステップＳ１０３の処理で「ＹＥＳ」となり、上記ステップＳ１０４の処理に移行し、指定された枚数「５０枚」分のメダルを一度に排出する。
【００５８】
また、例えば、客がカップ許容量を上回るボタンとして、「ボタンＮｏ．４」のボタン（３０００円で３５０枚払出しするボタン）を押下したとすると、上記ステップＳ１０３の処理で「ＮＯ」となり、上記ステップＳ１０５で一定枚数として「３００枚」分のメダルを一度に排出すると共に、［指定枚数「３５０枚」］−［排出一定枚数「３００枚」］＝［残枚数「５０枚」］から残枚数情報として「５０枚」を記憶する。その後、一定時間が経過した後（ステップＳ１０８ＹＥＳ）、上記ステップＳ１０３に戻って、残枚数「５０枚」が所定枚数「３００枚」以下であると判定処理され「ＹＥＳ」となり、上記ステップＳ１０４の処理に移行し、上記記憶した残枚数情報「５０枚」に基づき残枚数「５０枚」分のメダルを一度に排出する。
【００５９】
次に、［条件２（客により所定の排出指示操作が行われたこと）］の処理動作について図６を用いて説明する。
【００６０】
図６は、カップ許容量以上のメダルの貸出が指定された場合に、指定された貸出数分のメダルを複数回に分けて排出する際、各回毎に一定の枚数で排出処理する場合であって、特に、この場合、カップ許容量以上の貸出数のメダルを複数回に分けて排出処理する際、客により残り分を排出する指示操作が行われたことを条件として次回の分割メダル排出処理を行う場合のメダル排出処理手順を示すフローチャートである。
【００６１】
図６において、まず、客により硬貨投入口１３或いは紙幣入出口１４から貨幣の入金が行われると（ステップＳ２０１）、メダル貸出機１ではこの処理を開始する。尚、この時、メダル貸出機１では、投入された金額に応じて選択ボタン１１のうち投入金額以下のボタンを点灯させ、選択可能状態にする。
【００６２】
その後、客により選択ボタン１１のいずれかのボタンの押下が行われると(ステップＳ２０２）、メダル貸出機１では、押下されたボタンが所定枚数即ちカップ許容量（「メダル：３００枚」）以下のメダルＹの払出しを指示するボタンであるか否かを判定する（ステップＳ２０３）。また、このステップＳ２０３の処理においては、後述のステップＳ２０７からの戻り時即ち複数回の分割排出処理時には、残りの払出し枚数が上記カップ許容量（「メダル：３００枚」）以下であるか否かを判定する。
【００６３】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ２０３ＹＥＳ）。そして、ステップＳ２０４に移行して、まず、カップ投出部１７からカップＸを投出し、その後、押下されたボタンで指定される枚数分のメダルＹを投出したカップＸに向けて一度に排出する。尚、このステップＳ２０４の処理においては、後述のステップＳ２０７からの戻り時即ち複数回の分割排出処理時であって、ステップＳ２０３の処理において、残りの払出し枚数が上記カップ許容量以下であると判定された場合には、カップ投出部１７からカップＸを投出し、その後、残りの払出し枚数分のメダルＹを投出したカップＸに向けて一度に排出する。
【００６４】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ２０３ＮＯ）。その後、カップ投出部１７からカップＸを投出し、その後、予め設定されている一定枚数（「メダル：３００枚」）分のメダルＹを投出したカップＸに向けて排出する（ステップＳ２０５）。尚、この時、メダル貸出機１では、客により指定された総枚数から排出した一定枚数を引いた残枚数情報を記憶しておく。即ち、［指定枚数（Ｍ）枚］−［排出一定枚数「３００枚」］＝［残枚数「Ｎ枚」］の計算を行って残枚数情報を記憶する。
【００６５】
尚、ここまでの処理は上記図５の処理と同様である。  
そして、その排出が完了した後、ガイダンス部１２にその後の機器動作を示す情報や客に対する指示情報等のガイダンス情報を表示すると共に、客により残りの排出を指示する投出ボタン１６が押下されるか否かを待機する（ステップＳ２０６およびステップＳ２０７）。尚、ガイダンス情報としては、例えば、この場合、「排出するメダルが残っていますので、メダル取出口に排出されているメダルをカップ毎取り除き、その後、投出ボタンを押下して下さい。」等のメッセージを表示する。
【００６６】
ここで、客により投出ボタン１６が押下されると（ステップＳ２０７ＹＥＳ）、上記ステップＳ２０３に戻って上述したような処理を行うことで、払出さなければならない残り枚数分のメダルの排出処理を行う。
【００６７】
尚、上記図６の処理手順において、具体的な例について述べておく。
【００６８】
例えば、客がカップ許容量以下のボタンとして、「ボタンＮＯ．１」のボタン（５００円で５０枚払出しするボタン）を押下したとすると、上記ステップＳ２０３の処理で「ＹＥＳ」となり、上記ステップＳ２０４の処理に移行し、指定された枚数「５０枚」分のメダルを一度に排出する。
【００６９】
また、例えば、客がカップ許容量を上回るボタンとして、「ボタンＮｏ．４」のボタン（３０００円で３５０枚払出しするボタン）を押下したとすると、上記ステップＳ２０３の処理で「ＮＯ」となり、上記ステップＳ２０５で一定枚数として「３００枚」分のメダルを一度に排出すると共に、［指定枚数「３５０枚」］−［排出一定枚数「３００枚」］＝［残枚数「５０枚」］から残枚数情報として「５０枚」を記憶する。その後、客により投出ボタン１６が押下された場合に（ステップＳ２０７ＹＥＳ）、上記ステップＳ２０３に戻って、残枚数「５０枚」が所定枚数「３００枚」以下であると判定処理され「ＹＥＳ」となり、上記ステップＳ２０４の処理に移行し、上記記憶した残枚数情報「５０枚」に基づいて残枚数「５０枚」分のメダルを一度に排出する。
【００７０】
次に、［条件３（容器が取り除かれたのを検知したこと）］の処理動作について図７を用いて説明する。
【００７１】
図７は、カップ許容量以上のメダルの貸出が指定された場合に、指定された貸出数分のメダルを複数回に分けて排出する際、各回毎に一定の枚数で排出処理する場合であって、特に、この場合、カップ許容量以上の貸出数のメダルを複数回に分けて排出処理する際、メダル取出口１５に投出したカップが客により取り除かれたことを検知したことを条件として次回の分割メダル排出処理を行う場合のメダル排出処理手順を示すフローチャートである。
【００７２】
図７において、まず、客により硬貨投入口１３或いは紙幣入出口１４から貨幣の入金が行われると（ステップＳ３０１）、メダル貸出機１ではこの処理を開始する。尚、この時、メダル貸出機１では、投入された金額に応じて選択ボタン１１のうち投入金額以下のボタンを点灯させ、選択可能状態にする。
【００７３】
その後、客により選択ボタン１１のいずれかのボタンの押下が行われると(ステップＳ３０２）、メダル貸出機１では、押下されたボタンが所定枚数即ちカップ許容量（「メダル：３００枚」）以下のメダルＹの払出しを指示するボタンであるか否かを判定する（ステップＳ３０３）。また、このステップＳ３０３の処理においては、後述のステップＳ３０７からの戻り時即ち複数回の分割排出処理時には、残りの払出し枚数が上記カップ許容量（「メダル：３００枚」）以下であるか否かを判定する。
【００７４】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ３０３ＹＥＳ）。そして、ステップＳ３０４に移行して、まず、カップ投出部１７からカップＸを投出し、その後、押下されたボタンで指定される枚数分のメダルＹを投出したカップＸに向けて一度に排出する。尚、このステップＳ３０４の処理においては、後述のステップＳ３０７からの戻り時即ち複数回の分割排出処理時であって、ステップＳ３０３の処理において、残りの払出し枚数が上記カップ許容量以下であると判定された場合には、カップ投出部１７からカップＸを投出し、その後、残りの払出し枚数分のメダルＹを投出したカップＸに向けて一度に排出する。
【００７５】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ３０３ＮＯ）。その後、カップ投出部１７からカップＸを投出し、その後、予め設定されている一定枚数（「メダル：３００枚」）分のメダルＹを投出したカップＸに向けて排出する（ステップＳ３０５）。尚、この時、メダル貸出機１では、客により指定された総枚数から排出した一定枚数を引いた残枚数情報を記憶しておく。即ち、［指定枚数（Ｍ）枚］−［排出一定枚数「３００枚」］＝［残枚数「Ｎ枚」］の計算を行って残枚数情報を記憶する。
【００７６】
尚、ここまでの処理は上記図５および図６の処理と同様である。
【００７７】
そして、その排出が完了した後、ガイダンス部１２にその後の機器動作を示す情報や客に対する指示情報等のガイダンス情報を表示すると共に、メダル取出口１５に投出したカップが客により取り除かれるのを待機する（ステップＳ３０６およびステップＳ３０７）。尚、ガイダンス情報としては、例えば、この場合、「排出するメダルが残っています。メダル取出口に排出されているメダルをカップ毎取り除くと自動的に残りのメダルが排出されます。」等のメッセージを表示する。
【００７８】
ここで、カップ検知センサ１８を用いて、投出したカップが客により取り除かれたことを検知すると（ステップＳ３０７ＹＥＳ）、上記ステップＳ３０３に戻って上述したような処理を行うことで、払出さなければならない残り枚数分のメダルの排出処理を行う。
【００７９】
尚、上記図７の処理手順において、具体的な例について述べておく。
【００８０】
例えば、客がカップ許容量以下のボタンとして、「ボタンＮＯ．１」のボタン（５００円で５０枚払出しするボタン）を押下したとすると、上記ステップＳ３０３の処理で「ＹＥＳ」となり、上記ステップＳ３０４の処理に移行し、指定された枚数「５０枚」分のメダルを一度に排出する。
【００８１】
また、例えば、客がカップ許容量を上回るボタンとして、「ボタンＮｏ．４」のボタン（３０００円で３５０枚払出しするボタン）を押下したとすると、上記ステップＳ３０３の処理で「ＮＯ」となり、上記ステップＳ３０５で一定枚数として「３００枚」分のメダルを一度に排出すると共に、［指定枚数「３５０枚」］−［排出一定枚数「３００枚」］＝［残枚数「５０枚」］から残枚数情報として「５０枚」を記憶する。その後、カップ検知センサ１８を用いて、投出したカップが客により取り除かれたことを検知した場合に（ステップＳ３０７ＹＥＳ）、上記ステップＳ３０３に戻って、残枚数「５０枚」が所定枚数「３００枚」以下であると判定処理され「ＹＥＳ」となり、上記ステップＳ３０４の処理に移行し、上記記憶した残枚数情報「５０枚」に基づいて残枚数「５０枚」分のメダルを一度に排出する。
【００８２】
［２］次に、カップ許容量以上のメダルの貸出が指定された場合に、指定された貸出数分のメダルを複数回に分けて排出する際、上述の［１］のように各回毎に一定（固定）の枚数で排出処理するのではなく、総払出枚数に合わせて、所定量を越えず且つ極端に少なかったり各回毎に偏ったりしない１回当たりの排出枚数を計算してその計算値に応じて排出処理する場合について図８乃至図１０を用いて説明する。尚、以下の説明では、［２］の処理動作について、上述の［１］と同様に、分割排出処理する場合の２回目以降の分割排出をメダル貸出機が行う条件として、［条件１（前回の排出から一定時間経過したこと）］、［条件２（客により所定の排出指示操作が行われたこと）］、［条件３（容器が取り除かれたのを検知したこと）］毎の処理動作について説明する。また、図８乃至図１０においても、カップ許容量が「メダル：３００枚」であり、一定枚数が「メダル：３００枚」と設定されている場合を例にしているが、両者ともそれ以外の数量であっても良いものとする。
【００８３】
まず、［条件１（前回の排出から一定時間経過したこと）］の処理動作について図８を用いて説明する。
【００８４】
図８は、カップ許容量以上のメダルの貸出が指定された場合に、指定された貸出数分のメダルを複数回に分けて排出する際、総払出枚数に合わせて、所定量を越えず且つ極端に少なかったり各回毎に偏ったりしない１回当たりの排出枚数を計算してその計算値に応じて排出処理する場合であって、特に、この場合、カップ許容量以上の貸出数のメダルを複数回に分けて排出処理する際、前回排出してから一定時間経過したことを条件として自動的に次回のメダル排出処理を行う場合のメダル排出処理手順を示すフローチャートである。
【００８５】
図８において、まず、客により硬貨投入口１３或いは紙幣入出口１４から貨幣の入金が行われると（ステップＳ４０１）、メダル貸出機１ではこの処理を開始する。尚、この時、メダル貸出機１では、投入された金額に応じて選択ボタン１１のうち投入金額以下のボタンを点灯させ、選択可能状態にする。
【００８６】
その後、客により選択ボタン１１のいずれかのボタンの押下が行われると(ステップＳ４０２）、メダル貸出機１では、押下されたボタンが所定枚数即ちカップ許容量（「メダル：３００枚」）以下のメダルＹの払出しを指示するボタンであるか否かを判定する（ステップＳ４０３）。
【００８７】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ４０３ＹＥＳ）。そして、ステップＳ４０４に移行して、まず、カップ投出部１７からカップＸを投出し、その後、押下されたボタンで指定される枚数分のメダルＹを投出したカップＸに向けて一度に排出する。
【００８８】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ４０３ＮＯ）。
【００８９】
その後、指定枚数に応じて分割排出時の１回当たりの排出枚数を算出する（ステップＳ４０５）。即ち、ここでは、指定された総払出枚数に合わせて、カップ許容量（「メダル：３００枚」）を越えず且つ極端に少なかったり各回毎に偏ったりしない１回当たりの排出枚数を算出して各回毎の排出枚数値を記憶する。
【００９０】
その後、各回毎に求めた排出枚数値に基づき各回毎のメダル排出処理を行う。まず、１回目のメダル排出処理として、カップ投出部１７からカップＸを投出し、上記ステップＳ４０５で算出した値即ち、１回目の排出枚数値に従ってその排出枚数分のメダルＹを投出したカップＸに向けて排出する（ステップＳ４０６）。尚、このステップＳ４０６の処理において、指定枚数分全てのメダルの排出が完了した場合には、ここでの処理を終了する。
【００９１】
そして、その排出が完了した後、タイマー部２３を用いて予め設定されている一定時間を計数処理すると共に（ステップＳ４０７）、ガイダンス部１２にその後の機器動作を示す情報や客に対する指示情報等のガイダンス情報を表示する（ステップＳ４０８）。尚、ガイダンス情報としては、例えば、この場合、「残りのメダルを一定時間経過後に自動的に排出しますので、メダル取出口に排出されているメダルをカップ毎取り除き、そのままお待ち下さい。」等のメッセージを表示する。
【００９２】
ここで、上記計数処理により一定時間が経過すると（ステップＳ４０９ＹＥＳ）、上記ステップＳ４０６に戻って上述したような処理を行うことで、払出さなければならない残り枚数分のメダルの排出処理を行う。
【００９３】
尚、上記図８の処理手順において、具体的な例について述べておく。
【００９４】
例えば、客がカップ許容量以下のボタンとして、「ボタンＮＯ．１」のボタン（５００円で５０枚払出しするボタン）を押下したとすると、上記ステップＳ４０３の処理で「ＹＥＳ」となり、上記ステップＳ４０４の処理に移行し、指定された枚数「５０枚」分のメダルを一度に排出する。
【００９５】
また、例えば、客がカップ許容量を上回るボタンとして、「ボタンＮｏ．４」のボタン（３０００円で３５０枚払出しするボタン）を押下したとすると、上記ステップＳ４０３の処理で「ＮＯ」となり、上記ステップＳ４０５で、指定された総払出枚数「３５０枚」に合わせて、カップ許容量（「メダル：３００枚」）を越えず且つ極端に少なかったり各回毎に偏ったりしない１回当たりの排出枚数を算出する。即ち、１回目「３００枚」で２回目「５０枚」と偏ったものとはせずに、例えば、１回目「２００枚」とし、２回目「１５０枚」というような値を求め、各回毎の排出枚数値（１回目「２００枚」、２回目「１５０枚」）を記憶する。そして、上記ステップＳ４０６で１回目の排出枚数値「２００枚」に基づき２００枚分のメダルを排出する。その後、一定時間が経過した後（ステップＳ４０９ＹＥＳ）、上記ステップＳ４０６に戻って、２回目の排出枚数値「１５０」に基づき１５０枚分のメダルを排出する。
【００９６】
次に、［条件２（客により所定の排出指示操作が行われたこと）］の処理動作について図９を用いて説明する。
【００９７】
図９は、カップ許容量以上のメダルの貸出が指定された場合に、指定された貸出数分のメダルを複数回に分けて排出する際、総払出枚数に合わせて、所定量を越えず且つ極端に少なかったり各回毎に偏ったりしない１回当たりの排出枚数を計算してその計算値に応じて排出処理する場合であって、特に、この場合、カップ許容量以上の貸出数のメダルを複数回に分けて排出処理する際、客により残り分を排出する指示操作が行われたことを条件として次回の分割メダル排出処理を行う場合のメダル排出処理手順を示すフローチャートである。
【００９８】
図９において、まず、客により硬貨投入口１３或いは紙幣入出口１４から貨幣の入金が行われると（ステップＳ５０１）、メダル貸出機１ではこの処理を開始する。尚、この時、メダル貸出機１では、投入された金額に応じて選択ボタン１１のうち投入金額以下のボタンを点灯させ、選択可能状態にする。
【００９９】
その後、客により選択ボタン１１のいずれかのボタンの押下が行われると(ステップＳ５０２）、メダル貸出機１では、押下されたボタンが所定枚数即ちカップ許容量（「メダル：３００枚」）以下のメダルＹの払出しを指示するボタンであるか否かを判定する（ステップＳ５０３）。
【０１００】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ５０３ＹＥＳ）。そして、ステップＳ５０４に移行して、まず、カップ投出部１７からカップＸを投出し、その後、押下されたボタンで指定される枚数分のメダルＹを投出したカップＸに向けて一度に排出する。
【０１０１】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ５０３ＮＯ）。
【０１０２】
その後、指定枚数に応じて分割排出時の１回当たりの排出枚数を算出する（ステップＳ５０５）。即ち、ここでは、指定された総払出枚数に合わせて、カップ許容量（「メダル：３００枚」）を越えず且つ極端に少なかったり各回毎に偏ったりしない１回当たりの排出枚数を算出して各回毎の排出枚数値を記憶する。
【０１０３】
その後、各回毎に求めた排出枚数値に基づき各回毎のメダル排出処理を行う。まず、１回目のメダル排出処理として、カップ投出部１７からカップＸを投出し、上記ステップＳ４０５で算出した値即ち、１回目の排出枚数値に従ってその排出枚数分のメダルＹを投出したカップＸに向けて排出する（ステップＳ５０６）。尚、このステップＳ５０６の処理において、指定枚数分全てのメダルの排出が完了した場合には、ここでの処理を終了する。
【０１０４】
尚、ここまでの処理は上記図８の処理と同様である。  
そして、その排出が完了した後、ガイダンス部１２にその後の機器動作を示す情報や客に対する指示情報等のガイダンス情報を表示すると共に、客により残りの排出を指示する投出ボタン１６が押下されるか否かを待機する（ステップＳ５０７およびステップＳ５０８）。尚、ガイダンス情報としては、例えば、この場合、「排出するメダルが残っていますので、メダル取出口に排出されているメダルをカップ毎取り除き、その後、投出ボタンを押下して下さい。」等のメッセージを表示する。
【０１０５】
ここで、客により投出ボタン１６が押下されると（ステップＳ５０８ＹＥＳ）、上記ステップＳ５０６に戻って上述したような処理を行うことで、払出さなければならない残り枚数分のメダルの排出処理を行う。
【０１０６】
尚、上記図９の処理手順において、具体的な例について述べておく。
【０１０７】
例えば、客がカップ許容量以下のボタンとして、「ボタンＮＯ．１」のボタン（５００円で５０枚払出しするボタン）を押下したとすると、上記ステップＳ５０３の処理で「ＹＥＳ」となり、上記ステップＳ５０４の処理に移行し、指定された枚数「５０枚」分のメダルを一度に排出する。
【０１０８】
また、例えば、客がカップ許容量を上回るボタンとして、「ボタンＮｏ．４」のボタン（３０００円で３５０枚払出しするボタン）を押下したとすると、上記ステップＳ５０３の処理で「ＮＯ」となり、上記ステップＳ５０５で、指定された総払出枚数「３５０枚」に合わせて、カップ許容量（「メダル：３００枚」）を越えず且つ極端に少なかったり各回毎に偏ったりしない１回当たりの排出枚数を算出する。即ち、１回目「３００枚」で２回目「５０枚」と偏ったものとはせずに、例えば、１回目「２００枚」とし、２回目「１５０枚」というような値を求め、各回毎の排出枚数値（１回目「２００枚」、２回目「１５０枚」）を記憶する。そして、上記ステップＳ５０６で１回目の排出枚数値「２００枚」に基づき２００枚分のメダルを排出する。その後、客により投出ボタン１６が押下された場合に（ステップＳ５０８ＹＥＳ）、上記ステップＳ５０６に戻って、２回目の排出枚数値「１５０」に基づき１５０枚分のメダルを排出する。
【０１０９】
次に、［条件３（容器が取り除かれたのを検知したこと）］の処理動作について図７を用いて説明する。
【０１１０】
図１０は、カップ許容量以上のメダルの貸出が指定された場合に、指定された貸出数分のメダルを複数回に分けて排出する際、総払出枚数に合わせて、所定量を越えず且つ極端に少なかったり各回毎に偏ったりしない１回当たりの排出枚数を計算してその計算値に応じて排出処理する場合であって、特に、この場合、カップ許容量以上の貸出数のメダルを複数回に分けて排出処理する際、メダル取出口１５に投出したカップが客により取り除かれたことを検知したことを条件として次回の分割メダル排出処理を行う場合のメダル排出処理手順を示すフローチャートである。
【０１１１】
図１０において、まず、客により硬貨投入口１３或いは紙幣入出口１４から貨幣の入金が行われると（ステップＳ６０１）、メダル貸出機１ではこの処理を開始する。尚、この時、メダル貸出機１では、投入された金額に応じて選択ボタン１１のうち投入金額以下のボタンを点灯させ、選択可能状態にする。
【０１１２】
その後、客により選択ボタン１１のいずれかのボタンの押下が行われると(ステップＳ６０２）、メダル貸出機１では、押下されたボタンが所定枚数即ちカップ許容量（「メダル：３００枚」）以下のメダルＹの払出しを指示するボタンであるか否かを判定する（ステップＳ６０３）。
【０１１３】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ６０３ＹＥＳ）。そして、ステップＳ６０４に移行して、まず、カップ投出部１７からカップＸを投出し、その後、押下されたボタンで指定される枚数分のメダルＹを投出したカップＸに向けて一度に排出する。
【０１１４】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ６０３ＮＯ）。
【０１１５】
その後、指定枚数に応じて分割排出時の１回当たりの排出枚数を算出する（ステップＳ６０５）。即ち、ここでは、指定された総払出枚数に合わせて、カップ許容量（「メダル：３００枚」）を越えず且つ極端に少なかったり各回毎に偏ったりしない１回当たりの排出枚数を算出して各回毎の排出枚数値を記憶する。
【０１１６】
その後、各回毎に求めた排出枚数値に基づき各回毎のメダル排出処理を行う。まず、１回目のメダル排出処理として、カップ投出部１７からカップＸを投出し、上記ステップＳ４０５で算出した値即ち、１回目の排出枚数値に従ってその排出枚数分のメダルＹを投出したカップＸに向けて排出する（ステップＳ６０６）。尚、このステップＳ６０６の処理において、指定枚数分全てのメダルの排出が完了した場合には、ここでの処理を終了する。
【０１１７】
尚、ここまでの処理は上記図８および図９の処理と同様である。  
そして、その排出が完了した後、ガイダンス部１２にその後の機器動作を示す情報や客に対する指示情報等のガイダンス情報を表示すると共に、メダル取出口１５に投出したカップが客により取り除かれるのを待機する（ステップＳ６０７およびステップＳ６０８）。尚、ガイダンス情報としては、例えば、この場合、「排出するメダルが残っています。メダル取出口に排出されているメダルをカップ毎取り除くと自動的に残りのメダルが排出されます。」等のメッセージを表示する。
【０１１８】
ここで、カップ検知センサ１８を用いて、投出したカップが客により取り除かれたことを検知すると（ステップＳ６０８ＹＥＳ）、上記ステップＳ６０６に戻って上述したような処理を行うことで、払出さなければならない残り枚数分のメダルの排出処理を行う。
【０１１９】
尚、上記図１０の処理手順において、具体的な例について述べておく。
【０１２０】
例えば、客がカップ許容量以下のボタンとして、「ボタンＮＯ．１」のボタン（５００円で５０枚払出しするボタン）を押下したとすると、上記ステップＳ６０３の処理で「ＹＥＳ」となり、上記ステップＳ６０４の処理に移行し、指定された枚数「５０枚」分のメダルを一度に排出する。
【０１２１】
また、例えば、客がカップ許容量を上回るボタンとして、「ボタンＮｏ．４」のボタン（３０００円で３５０枚払出しするボタン）を押下したとすると、上記ステップＳ５０３の処理で「ＮＯ」となり、上記ステップＳ６０５で、指定された総払出枚数「３５０枚」に合わせて、カップ許容量（「メダル：３００枚」）を越えず且つ極端に少なかったり各回毎に偏ったりしない１回当たりの排出枚数を算出する。即ち、１回目「３００枚」で２回目「５０枚」と偏ったものとはせずに、例えば、１回目「２００枚」とし、２回目「１５０枚」というような値を求め、各回毎の排出枚数値（１回目「２００枚」、２回目「１５０枚」）を記憶する。そして、上記ステップＳ６０６で１回目の排出枚数値「２００枚」に基づき２００枚分のメダルを排出する。その後、カップ検知センサ１８を用いてメダル取出口１５に投出したカップが客により取り除かれたことを検知した場合に（ステップＳ６０８ＹＥＳ）、上記ステップＳ６０６に戻って、２回目の排出枚数値「１５０」に基づき１５０枚分のメダルを排出する。
【０１２２】
次に、上述してきた実施例の変形例について説明する。
【０１２３】
即ち、上記実施例では、図６および図９のフローでは、分割排出時の残りのメダルの排出を指示する為に専用の投出ボタン１６を設けている場合の処理手順を示したが、これ以外に、押下された選択ボタンを点滅状態のまま維持し、当該選択ボタンが再度押下されると、残りのメダルを払出すようにしても良い。この時、ガイダンス部１２に残りのメダルを排出する場合に選択ボタンの押下を促すガイダンス情報等を表示する。
【０１２４】
更に、上述の［１］及び［２］の実施例では、それぞれ［条件１（前回の排出から一定時間経過したこと）］と、［条件２（客により所定の排出指示操作が行われたこと）］と、［条件３（容器が取り除かれたのを検知したこと）］とに分けて説明したが、［１］と［２］のそれぞれにおいて、それら各条件のうち［条件１］と［条件２］を組み合わせるようにしても良い。
【０１２５】
尚、その場合、基本的には、投出ボタンや選択ボタン等の押下を待つが、一定時間以内に押下操作が無ければ、残りのメダルを排出するようにする。尚、この場合の処理手順を［１］の場合の変形例として図１１に示し、［２］の場合の変形例として図１２に示す。
【０１２６】
このような構成によると、排出指示ボタンの押下忘れにより客が残り分のメダルの受け取りを忘れることを防ぐことが可能となる。
【０１２７】
また、こ他の変形例について図１３を用いて説明する。
【０１２８】
即ち、この図１３の実施例では、所定量以上の遊技媒体を排出する場合の遊技媒体の排出動作中にその排出動作を一旦停止することを客が指示できる一時停止ボタンを新たに具えた場合の処理動作手順を示している。
【０１２９】
図１３において、まず、客により硬貨投入口１３或いは紙幣入出口１４から貨幣の入金が行われると（ステップＳ９０１）、メダル貸出機１ではこの処理を開始する。尚、この時、メダル貸出機１では、投入された金額に応じて選択ボタン１１のうち投入金額以下のボタンを点灯させ、選択可能状態にする。
【０１３０】
その後、客により選択ボタン１１のいずれかのボタンの押下が行われると(ステップＳ９０２）、メダル貸出機１では、押下されたボタンが所定枚数即ちカップ許容量（「メダル：３００枚」）以下のメダルＹの払出しを指示するボタンであるか否かを判定する（ステップＳ９０３）。また、このステップＳ９０３の処理においては、後述のステップＳ９１１からの戻り時、即ち、残り排出メダルがまだ存在する場合に一時停止ボタンが押下され、残りメダルを排出する条件が揃った場合、残りの払出し枚数が上記カップ許容量（「メダル：３００枚」）以下であるか否かを判定する。
【０１３１】
そして、例えば、客がカップ許容量以下のボタン（「ボタンＮＯ．１」〜「ボタンＮＯ．３」のいずれかのボタン）を押下していたとすると、メダル貸出機１では、図４に示す設定情報に基づき押下されたボタンがカップ許容量以下のメダルＹの払出しを指示するボタンであると判定する（ステップＳ９０３ＹＥＳ）。そして、ステップＳ９０４に移行して、まず、カップ投出部１７からカップＸを投出し、その後、押下されたボタンで指定される枚数分のメダルＹを、投出したカップＸに向けて一度に排出する。尚、このステップＳ９０４の処理においては、後述のステップＳ９１１からの戻り時であって、ステップＳ９０３の処理において、残りの払出し枚数が上記カップ許容量以下であると判定された場合には、カップ投出部１７からカップＸを投出し、その後、残りの払出し枚数分のメダルＹを投出したカップＸに向けて一度に排出する。
【０１３２】
また、他方、客がカップ許容量以上のボタン（「ボタンＮＯ．４」及び「ボタンＮｏ．５」のいずれかのボタン）を押下していたとすると、メダル貸出機１では、図４に示す設定情報に基づき押下されたボタンがカップ許容量を上回るメダルの払出しを指示するボタンであると判定する（ステップＳ９０３ＮＯ）。その後、カップ投出部１７からカップＸを投出し、その後、指定枚数分のメダルＹを、投出したカップＸに向けて排出する処理動作を開始し、メダル排出処理を行う（ステップＳ９０５）。
【０１３３】
その後、メダル貸出機１では、客による一時停止ボタンの押下を待機する（ステップＳ９０５）と共に、上記メダル排出処理により指定枚数分のメダルを全て排出したか否かを判定する（ステップＳ９０７）。
【０１３４】
尚、ここで、一時停止ボタンが押下される前に、指定枚数分のメダルを全て排出した場合（ステップＳ９０７ＹＥＳ）、ここでの処理を終了する。
【０１３５】
他方、指定枚数分のメダルを全て排出する前に、一時停止ボタンが押下されたことを検知すると（ステップＳ９０６ＹＥＳ）、メダル排出処理動作を停止する（ステップＳ９０８）。尚、この時、メダル貸出機１では、排出総枚数から排出した枚数を引いた残枚数情報を記憶する。そして、この残枚数情報を上記ステップＳ９０３の判定時に用いる。
【０１３６】
そして、排出動作停止後、タイマー部２３を用いて予め設定されている一定時間を計数処理すると共に（ステップＳ９０９）、ガイダンス部１２にその後の機器動作を示す情報や客に対する指示情報等のガイダンス情報を表示する（ステップＳ９１０）。尚、ガイダンス情報としては、例えば、この場合、「残りのメダルを一定時間経過後に自動的に排出しますので、メダル取出口に排出されているメダルをカップ毎取り除き、そのままお待ち下さい。」等のメッセージを表示する。
【０１３７】
ここで、上記計数処理により一定時間が経過すると（ステップＳ９１１ＹＥＳ）、上記ステップＳ９０３に戻って上述したような処理を行うことで、払出さなければならない残り枚数分のメダルの排出処理を行う。
【０１３８】
尚、上記図９の処理手順において、具体的な例について述べておく。
【０１３９】
例えば、客がカップ許容量以下のボタンとして、「ボタンＮＯ．１」のボタン（５００円で５０枚払出しするボタン）を押下したとすると、メダル貸出機１では、上記ステップＳ９０３の処理で「ＹＥＳ」となり、上記ステップＳ９０４の処理に移行し、指定された枚数「５０枚」分のメダルを一度に排出する。
【０１４０】
また、例えば、客がカップ許容量を上回るボタンとして、「ボタンＮｏ．４」のボタン（３０００円で３５０枚払出しするボタン）を押下したとすると、メダル貸出機１では、上記ステップＳ９０３の処理で「ＮＯ」となり、上記ステップＳ９０５でメダル排出処理動作が開始され、メダルの排出処理が行われる。その後、例えば、約２００枚目のメダルの排出を行っている場合に、客により「一時停止ボタン」が押下されると（ステップＳ９０６）、例えば、２００枚目のメダルの排出が完了した後に、メダル排出動作を停止し（ステップＳ９０８）、一定時間経過するのを待つ（ステップＳ９０９乃至ステップＳ９１１）。尚、ステップＳ９０８の処理で、残枚数情報として［３５０枚］−［２００枚］＝［１５０枚］を記憶する。
【０１４１】
その後、一定時間内に、客が排出された「２００枚」分のメダルをメダル取出口から取り除く。
【０１４２】
そして、メダル貸出機１では、一定時間が経過すると（ステップＳ９１１ＹＥＳ）、上記ステップＳ９０３に戻って、上記記憶した残枚数情報「１５０枚」に基づき残枚数が所定枚数「３００枚」以下であると判定処理され、「ＹＥＳ」となり、上記ステップＳ９０４の処理に移行し、残枚数「１５０枚」分のメダルを一度に排出する。
【０１４３】
このような構成によると、複数回の排出処理動作時に、カップやメダル取出口の許容量を越えない一定枚数値を設定せずに或いはカップやメダル取出口の許容量を越えない排出枚数値を算出せずとも、客が「一時停止ボタン」を押下してその一時停止の間に客が排出されたメダルやカップを取り除くことで、排出されたメダルがカップやメダル取出口から溢れてこぼれ落ちることを防ぐことができる。
【０１４４】
また、この図１３の処理手順では、一時停止ボタンが押下されてからその後に残り分を排出する条件としてタイマー方式を採用したものを示したが、これ以外にも、上述したような条件を採用しても良い。即ち、所定操作（投出ボタン押下）が行われたことや、メダル（ｏｒカップ）が取り除かれたことを検知した場合に残り分を排出するようにしても良い。
【０１４５】
尚、上記図１乃至図３に示す例では、上記各条件｛［条件１］や［条件２］や［条件３］｝を説明する都合上、投出ボタン（１６）と、カップ検知センサ（１８）と、タイマー部（２３）との全てを具える構成を示したが、上述したように、各条件のいずれかの処理しか行わないメダル貸出機を構築する場合には、対応するものだけを用意するようにすれば良い。即ち、［条件１］の処理のみを行うメダル貸出機においては、投出ボタン（１６）とカップ検知センサ（１８）は具えずに、タイマー部（２３）を用意する。また、［条件２］の処理のみを行うメダル貸出機においては、カップ検知センサ（１８）とタイマー部（２３）は具えずに、投出ボタン（１６）を用意する。また、［条件３］の処理のみを行うメダル貸出機においては、投出ボタン（１６）とタイマー部（２３）は具えずに、カップ検知センサ（１８）を用意する。また、上述したように、［条件１］と［条件２］を組み合わせた処理を行うメダル貸出機においては、カップ検知センサ（１８）は具えずに、投出ボタン（１６）とタイマー部（２３）を用意する。
【０１４６】
また、上記実施例では、カップ式のメダル貸出機に適用する場合を例にして示したが、本発明はこれに限らず、カップを投出せずにメダル取出口にメダルを直接排出する一般的に良く使われている通常タイプのメダル貸出機に適用しても良い。
【０１４７】
その場合、通常のタイプのメダル貸出機の構成としては、上記図１乃至図３に示す構成において、カップ投出部を取り除き、カップ検知センサ１８の代わりにメダル取出口のメダルが取り除かれたか否かを検知するメダル検知センサを設ける。
【０１４８】
そして、処理動作としては、例えば、上記図５に示した処理フローのステップＳ１０４及びステップＳ１０５において容器（カップ）を投出しない処理動作を行うようにする。
【０１４９】
また、上記図６に示した処理フローのステップＳ２０４及びステップＳ２０５において容器（カップ）を投出しない処理動作を行うようにする。
【０１５０】
また、上記図７に示した処理フローのステップＳ３０４及びステップＳ３０５において容器（カップ）を投出せず、ステップＳ３０７において上記メダル検知センサを用いてメダル取出口のメダルが取り除かれたか否かを判定し、メダル検知センサが「メダル無し」を検知すると残り分のメダルの排出処理へと遷移する処理動作を行うようにする。
【０１５１】
また、上記図８に示した処理フローのステップＳ４０４およびステップＳ４０６において容器（カップ）を投出しない処理動作を行うようにする。
【０１５２】
また、上記図９に示した処理フローのステップＳ５０４およびステップＳ５０６において容器（カップ）を投出しない処理動作を行うようにする。
【０１５３】
また、上記図１０に示した処理フローのステップＳ６０４およびステップＳ６０６において容器（カップ）を投出せず、ステップＳ６０８において上記メダル検知センサを用いてメダル取出口のメダルが取り除かれたか否かを判定し、メダル検知センサが「メダル無し」を検知すると残り分のメダルの排出処理へと遷移する処理動作を行うようにする。
【０１５４】
尚、上記実施例では、遊技媒体としてメダルを貸出すメダル貸出機を例にして説明したが、本発明はこれ以外にも、遊技媒体としてコインや玉などを貸出す遊技媒体貸出機に適用しても良いものとする。
【０１５５】
また、上記実施例では、貨幣（現金）を受け入れて遊技媒体（メダルなど）を貸出す遊技媒体貸出機を例にして示したが、これ以外に、貨幣（現金）ではなく、Ｅｄｙ（登録商標）カード（電子マネーカードともいう。）に関連付けて記憶されている電子マネー価値に基づいて遊技媒体（メダルなど）を貸出す遊技媒体貸出機に適用しても良いものとする。
【０１５６】
また、上記実施例では、文字情報等を表示するガイダンス部１２を具える構成を示したが、これ以外に、ガイダンス部を具えず、音声発声手段等を具え、音声にて客にガイダンス情報を通知するようにしても良く、また、ガイダンス部１２と上記音声発声手段の両方を具え、それら両方を用いてガイダンス情報を客に通知するようにしても良い。
【０１５７】
また、上記実施例では、選択ボタン１１にメダル取出口１５やカップＸがメダルを収納可能な許容量以下の枚数のメダルを貸出すボタンと、その許容量以上の枚数のメダルを貸出すボタンとを備えた場合を例にして説明しているが、これ以外に、選択ボタン１１として上記許容量以下の枚数のメダルを貸出すボタンを設けず、上記許容量以上の枚数のメダルを貸出すボタンのみを設けるような構成にしても良い。
【０１５８】
尚、このような構成では、例えば、上述の図５乃至図７、図１１のフローにおいて、Ｓ１０３、Ｓ２０３、Ｓ３０３、Ｓ７０３の指定枚数或いは残枚数が所定枚数以下であるか否かを判定する判定処理を、別判定処理（Ｓ）として、分割排出処理（初回を含む）をする毎に、排出残枚数（初回の指定された指定枚数自体も含む）が予め設定されている所定枚数以下であるか否かを判定する処理に変更する。そして、その別判定処理（Ｓ）において、排出残枚数が所定枚数以下でなければ（ＮＯ）、上述の判定処理（Ｓ１０３、Ｓ２０３、Ｓ３０３、Ｓ７０３）で「ＮＯ」となった場合のそれ以降の処理を行い、他方、排出残枚数が所定枚数以下であれば（ＹＥＳ）、その時の残枚数を全て払出す処理を行う。
【０１５９】
また、上述の図８乃至図１０、図１２のフローにおいて、Ｓ４０３、Ｓ５０３、Ｓ６０３、Ｓ８０３の指定枚数が所定枚数以下であるか否かを判定する判定処理を削除し、それに対応してＳ４０４、Ｓ５０４、Ｓ６０４、Ｓ８０４の処理も削除する。後は、同様の処理を行う。
【０１６０】
また、上記実施例で示したプレミア（サービスメダル）枚数分については、図４に示したように選択ボタンのようにプレミア（サービスメダル）枚数分を客が分かるように表示しなくても良い。即ち、選択ボタンに、正規の枚数（例えば、１０円で１枚の設定による投入金額に応じた枚数）「５００円／５０枚」、「１０００円／１００枚」、「２０００円／２００枚」、「３０００円／３００枚」、「５０００円／５００枚」のように表示しておき、店側のサービス形態に応じて年、月、日、時間毎でプレミア（サービスメダル）枚数を変更してメダル貸出機に設定し、その変更設定されるプレミア（サービスメダル）枚数値と選択ボタン毎に設定されている枚数値を足したものを上述した実施例での排出総枚数として扱う。または、利用何人目（例えば、１００人目）にプレミアを付けるようしても良い。
【０１６１】
即ち、本発明では、指定された枚数に対応して排出する総排出枚数が所定枚数（メダル取出口やカップのメダル許容量）を越える場合に、複数回に分けて排出する際、各回毎の排出枚数が上記所定枚数を越えないように排出処理を制御するようにすれば良い。
【０１６２】
上記説明してきた構成によると、多数の遊技媒体を払出す場合でも、遊技媒体が取出口や容器から溢れて機器外部に飛出すことを未然に防ぐことができると共に、取出口や容器へ払出し用の遊技媒体を導く通路内部で遊技媒体が詰ってしまうことを未然に防ぐことができる。具体的には、機器サイズの縮小化や、機器設置面積の縮小化や、製造コストの削減化や、遊技媒体購入希望者が１回で購入希望する平均的な枚数や、カップを利用するメダル購入希望者の使い勝手などを考慮して、遊技媒体取出口や遊技媒体収容容器の大きさを変えずとも、それら遊技媒体取出口や遊技媒体収容容器の遊技媒体許容量以上の貸出を行う際に、遊技媒体が取出口や容器から溢れて機器外部に飛出すことを未然に防ぐことができると共に、取出口や容器へ払出し用の遊技媒体を導く通路内部で遊技媒体が詰ってしまうことを未然に防ぐことができる。
【図面の簡単な説明】
【０１６３】
【図１】本発明を適用したメダル貸出機の外観概略構成を示す図である。
【図２】図１に示したメダル貸出機の前面扉を開放した場合に見える内部の概略構成を示す図である。
【図３】図１及び図２に示したメダル貸出機の機能をブロック化した場合の構成を示す図である。
【図４】選択ボタンの各ボタン毎の払出メダル枚数を示す図である。
【図５】本発明による処理動作を示す図である。
【図６】本発明による処理動作を示す図である。
【図７】本発明による処理動作を示す図である。
【図８】本発明による処理動作を示す図である。
【図９】本発明による処理動作を示す図である。
【図１０】本発明による処理動作を示す図である。
【図１１】本発明による処理動作を示す図である。
【図１２】本発明による処理動作を示す図である。
【図１３】本発明による処理動作を示す図である。
【符号の説明】
【０１６４】
１…メダル貸出機
１１…選択ボタン
１２…ガイダンス部
１３…硬貨入金口
１４…紙幣入出口
１５…メダル投出口
１６…投出ボタン
１７…カップ投出部
１８…カップ検知センサ
１９…メダル取出口
２０…硬貨処理部
２１…紙幣処理部
２２…制御部
２３…タイマー部
２４…電源部
Ｘ…カップ
Ｙ…メダル
【図１】
2005080899.tif 000003
【図２】
2005080899.tif 000004
【図３】
2005080899.tif 000005
【図４】
2005080899.tif 000006
【図５】
2005080899.tif 000007
【図６】
2005080899.tif 000008
【図７】
2005080899.tif 000009
【図８】
2005080899.tif 000010
【図９】
2005080899.tif 000011
【図１０】
2005080899.tif 000012
【図１１】
2005080899.tif 000013
【図１２】
2005080899.tif 000014
【図１３】
2005080899.tif 000015